(57)【要約】【課題】  保持システムを提供する。【解決手段】  保持システムは、第１の側部および反対側の第２の側部を有するホルダを有し、偏心アパーチャがホルダの第１の側部から第２の側部にまで延在している受け部と、中心軸、第１の軸方向側部および反対側の第２の軸方向側部を含む柱と、第２の側部で柱に対して垂直に取付けられるフランジとを備える。柱およびフランジはホルダと係合される。フランジは、偏心アパーチャ内に嵌まる外形を有し、柱は、偏心アパーチャ内をホルダの第１の側部から第２の側部まで通っている。フランジおよび柱は中心軸のまわりを回転可能であり、柱は、柱、フランジまたはホルダを弾性変形させることなく回転を阻止する。保持システムは、ゴーグルなどからのストラップをヘルメット側面に隣接して固定するために用いられてもよい。【選択図】図１
2015101818.tif 000002
【特許請求の範囲】
【請求項１】
保持システムであって、
第１の側部および反対側の第２の側部を有するホルダを有し、偏心アパーチャがホルダの第１の側部から第２の側部にまで延在している受け部と、
中心軸、第１の軸方向側部および反対側の第２の軸方向側部を含む柱と、
第２の側部で柱に対して垂直に取付けられるフランジとを備え、柱およびフランジはホルダと係合され、フランジは、偏心アパーチャ内に嵌まる外形を有し、柱は、偏心アパーチャ内をホルダの第１の側部から第２の側部まで通っており、フランジおよび柱は中心軸のまわりを回転可能であり、柱は、柱、フランジまたはホルダを弾性変形させることなく回転を阻止する、保持システム。
【請求項２】
偏心アパーチャは主軸および短軸を有する楕円形を有し、フランジは、偏心アパーチャの主軸および短軸よりもわずかに短い主軸および短軸を有する、請求項１に記載の保持システム。
【請求項３】
フランジの主軸は偏心アパーチャの主軸と位置合わせされ、フランジは、偏心アパーチャ内で中心軸に対して平行な方向に自由に移動することができる、請求項２に記載の保持システム。
【請求項４】
フランジの主軸は偏心アパーチャの主軸と位置合わせされておらず、フランジは、ホルダの第２の側部に寄り掛かっており、中心軸に対して平行な方向に移動しないようにされている、請求項２に記載の保持システム。
【請求項５】
柱の断面形状は、楕円形の偏心アパーチャの短軸よりも長く、楕円形の偏心アパーチャの主軸よりも短い軸を有する。請求項２に記載の保持システム。
【請求項６】
ホルダは偏心アパーチャを形成する壁を有し、壁の高さは壁の厚さを上回っている、請求項１に記載の保持システム。
【請求項７】
偏心アパーチャと係合される柱の断面形状は、２つの等しい直交軸の交差によって示され、２つの等しい直交軸の各々は、楕円形の短軸よりも長く、楕円形の主軸よりも短い、請求項２に記載の保持システム。
【請求項８】
柱の断面形状は、４つの湾曲した楕円形セグメントを含み、２つの対向するセグメントは短軸が偏心アパーチャに接している。請求項２に記載の保持システム。
【請求項９】
受け部はさらに、ホルダに取付けられたアンカー構造を含む、請求項１に記載の保持システム。
【請求項１０】
柱の第１の側部に接続されたクランプアームをさらに含み、クランプアームは柱から径方向に延在する、請求項１に記載の保持システム。
【請求項１１】
偏心アパーチャは円形以外の形状を有する、請求項１に記載の保持システム。
【請求項１２】
請求項１から１１に記載の保持システムを含むヘルメット。
【請求項１３】
ヘルメットであって、
内側発泡体層と、
内側発泡体層に取付けられた外側硬質シェルとを備え、外側硬質シェルおよび内側発泡体層に窪みが設けられ、ヘルメットはさらに、
窪みに配置された受け部を備え、受け部は、窪みに不動に取付けられたアンカーと、アンカーに接続されたホルダとを含み、ホルダは、第１の外側部および第２の内側部を含み、偏心アパーチャは、ホルダの第１の側部から第２の側部にまで延在する、ヘルメット。
【請求項１４】
受け部と係合されるクリップをさらに含み、クリップは、中心軸を有する柱を含み、柱は、中心軸に対して垂直な第１の軸方向側部および第２の軸方向側部を有し、第１の側部は径方向に延在するクランプアームを含み、第２の側部は、偏心アパーチャ内に軸方向に嵌まる形状を有するフランジを含む、請求項１３に記載のヘルメット。
【請求項１５】
偏心アパーチャは主軸および短軸を有し、フランジはホルダの主軸よりもわずかに短い主軸を有し、フランジはホルダの短軸よりもわずかに短い短軸を有する、請求項１４に記載のヘルメット。
【請求項１６】
フランジの主軸は偏心アパーチャの主軸と位置合わせされ、フランジは、偏心アパーチャ内において軸方向に自由に移動することができる、請求項１５に記載のヘルメット。
【請求項１７】
柱の中心軸を中心とした回転は、柱またはホルダの弾性変形によって阻止される、請求項１６に記載のヘルメット。
【請求項１８】
フランジの主軸は偏心アパーチャの短軸と位置合わせされ、フランジは偏心アパーチャ内において軸方向に移動しないようにロックされる、請求項１５に記載のヘルメット。
【請求項１９】
柱の中心軸を中心とした回転は、柱またはホルダの弾性変形によって阻止される、請求項１８に記載のヘルメット。
【請求項２０】
柱の断面形状は、偏心アパーチャの短軸よりも長く、偏心アパーチャの主軸よりも短い軸を有する、請求項１５に記載のヘルメット。
【請求項２１】
偏心アパーチャと係合させた柱の断面形状は、２本の等しい直交軸の交差によって示され、２つの等しい直交軸の各々は、偏心アパーチャの短軸よりも長く、偏心アパーチャの主軸よりも短い、請求項１５に記載のヘルメット。
【請求項２２】
柱の断面形状は、４つの湾曲した楕円形セグメントを含み、２つの対向する楕円形セグメントは短軸が偏心アパーチャに接している、請求項１５に記載のヘルメット。
【請求項２３】
ヘルメットは、硬質シェルおよび内側発泡体層を通り抜ける通気開口部を含み、クリップは、通気開口部を介するヘルメット内部への通気を著しく妨害することなく、通気開口部における窪み内に係合される、請求項１４に記載のヘルメット。
【発明の詳細な説明】
【技術分野】
【０００１】
関連出願の相互参照
本願は、２０１３年１１月２２日に提出され、その開示全体が引用によりこの明細書中に明確に援用されている仮出願番号第６１／９０７８３２号の利益を主張する。
【背景技術】
【０００２】
背景
大抵のヘルメットには、ゴーグルおよびヘッドランプを、このような付属品と共に用いられるストラップを固定することによって保持するための方法がある。クリップまたはフックの中には、ストラップを固定するためにヘルメット上に配置されるタイプもある。ゴーグル、ヘッドランプまたは他の付属品は必ずしも用いられるとは限らないが、ヘルメットからクリップを取外し可能であること、または、さまざまな付属品のためにヘルメット上のさまざまな位置においてこれらクリップを使用できるように再構成可能であることが望ましい。
【０００３】
したがって、ヘルメットからクリップを容易に取外して再び取付けるための手段が所望される。
【発明の概要】
【課題を解決するための手段】
【０００４】
概要
この概要は、以下の詳細な説明においてさらに記載される概念の選択肢を簡潔に紹介するために提供される。この概要は、主張された主題の重要な特徴を識別するよう意図されたものではなく、主張された主題の範囲を判断する助けとして用いられるよう意図されたものでもない。
【０００５】
実施形態は保持システムに関する。保持システムは、ヘッドギア、ヘルメットなどの上で用いることができる。保持システムは、ゴーグルなどの付属品をヘッドギアに固定するのに用いられる。保持システムは、第１の側部および反対側の第２の側部を有するホルダを有し、偏心アパーチャがホルダの第１の側部から第２の側部にまで延在している受け部と、中心軸、第１の軸方向側部および反対側の第２の軸方向側部を含む柱と、第２の側部で柱に対して垂直に取付けられるフランジとを備える。柱およびフランジはホルダと係合される。フランジは、偏心アパーチャ内に嵌まる外形を有し、柱は、偏心アパーチャ内をホルダの第１の側部から第２の側部まで通っている。フランジおよび柱は中心軸のまわりを回転可能であり、柱は、柱、フランジまたはホルダを弾性変形させることなく回転を阻止する。
【０００６】
保持システムのいくつかの実施形態においては、偏心アパーチャは主軸および短軸を有する楕円形を有し、フランジは、偏心アパーチャの主軸および短軸よりもわずかに短い主軸および短軸を有する。
【０００７】
保持システムのいくつかの実施形態においては、フランジの主軸は偏心アパーチャの主軸と位置合わせされ、フランジは、偏心アパーチャ内で中心軸に対して平行な方向に自由に移動することができる。
【０００８】
保持システムのいくつかの実施形態においては、フランジの主軸は偏心アパーチャの主軸と位置合わせされておらず、フランジは、ホルダの第２の側部に寄り掛かっており、中心軸に対して平行な方向に移動しないようにされている。
【０００９】
保持システムのいくつかの実施形態においては、柱の断面形状は、楕円形の偏心アパーチャの短軸よりも長く、楕円形の偏心アパーチャの主軸よりも短い軸を有する。
【００１０】
保持システムのいくつかの実施形態においては、ホルダは、偏心アパーチャを形成する壁を有し、壁の高さは壁の厚さを上回っている。
【００１１】
保持システムのいくつかの実施形態においては、偏心アパーチャと係合される柱の断面形状は、２つの等しい直交軸の交差によって示され、２つの等しい直交軸の各々は、楕円形の短軸よりも長く、楕円形の主軸よりも短い。
【００１２】
保持システムのいくつかの実施形態においては、柱の断面形状は、４つの湾曲した楕円形セグメントを含む。２つの対向するセグメントは短軸が偏心アパーチャに接している。
【００１３】
保持システムのいくつかの実施形態においては、受け部はさらに、ホルダに取付けられたアンカー構造を含む。
【００１４】
保持システムのいくつかの実施形態においては、クランプアームは柱の第１の側部に接続され、クランプアームは柱から径方向に延在する。
【００１５】
保持システムのいくつかの実施形態においては、偏心アパーチャは円形以外の形状を有する。
【００１６】
いくつかの実施形態は、保持システムの実施形態のうちのいずれかを有するヘルメットに関する。
【００１７】
いくつかの実施形態はヘルメットに関する。ヘルメットは、内側発泡体層と、内側発泡体層に取付けられた外側硬質シェルとを備え、外側硬質シェルおよび内側発泡体層に窪みが設けられ、ヘルメットはさらに、窪みに配置された受け部を備える。受け部は、窪みに不動に取付けられたアンカーと、アンカーに接続されたホルダとを含む。ホルダは、第１の外側部および第２の内側部を含み、偏心アパーチャは、ホルダの第１の側部から第２の側部にまで延在する。
【００１８】
ヘルメットのいくつかの実施形態においては、クリップが受け部と係合される。クリップは、中心軸を有する柱を含む。柱は、中心軸に対して垂直な第１の軸方向側部および第２の軸方向側部を有する。第１の側部は径方向に延在するクランプアームを含み、第２の側部は、偏心アパーチャ内に軸方向に嵌まる形状を有するフランジを含む。
【００１９】
ヘルメットのいくつかの実施形態においては、偏心アパーチャは主軸および短軸を有し、フランジはホルダの主軸よりもわずかに短い主軸を有し、フランジはホルダの短軸よりもわずかに短い短軸を有する。
【００２０】
ヘルメットのいくつかの実施形態においては、フランジの主軸は偏心アパーチャの主軸と位置合わせされ、フランジは、偏心アパーチャ内において軸方向に自由に移動することができる。
【００２１】
ヘルメットのいくつかの実施形態においては、柱の中心軸を中心とした回転は、柱またはホルダの弾性変形によって阻止される。
【００２２】
ヘルメットのいくつかの実施形態においては、フランジの主軸は偏心アパーチャの短軸と位置合わせされ、フランジは偏心アパーチャ内において軸方向に移動しないようにロックされる。
【００２３】
ヘルメットのいくつかの実施形態においては、柱の中心軸を中心とした回転は、柱またはホルダの弾性変形によって阻止される。
【００２４】
ヘルメットのいくつかの実施形態においては、柱の断面形状は、偏心アパーチャの短軸よりも長く、偏心アパーチャの主軸よりも短い軸を有する。
【００２５】
ヘルメットのいくつかの実施形態においては、偏心アパーチャと係合させた柱の断面形状は、２本の等しい直交軸の交差によって示され、２つの等しい直交軸の各々は、偏心アパーチャの短軸よりも長く、偏心アパーチャの主軸よりも短い。
【００２６】
ヘルメットのいくつかの実施形態においては、柱の断面形状は、４つの湾曲した楕円形セグメントを含む。２つの対向する楕円形セグメントは短軸が偏心アパーチャに接している。
【００２７】
いくつかの実施形態においては、ヘルメットは、硬質シェルおよび内側発泡体層を通り抜ける通気開口部を含み、クリップは、通気開口部を介するヘルメット内部への通気を著しく妨害することなく、通気開口部における窪み内に係合される。
【００２８】
図面の簡単な説明
この発明の上述の局面および付随する利点の多くは、添付の図面に関連付けて以下の詳細な説明を参照することによってより良く理解されると、より容易に認識されるだろう。
【図面の簡単な説明】
【００２９】
【図１】受け部を有するヘルメットを示す図である。
【図２】受け部においてクリップがロックされた位置にあるヘルメットを示す図である。
【図３】受け部においてロックされた位置にあるクリップを示す図である。
【図４】受け部においてロックされた位置にあるクリップを示す図である。
【図５】受け部においてクリップがロック解除された位置にあるヘルメットを示す図である。
【図６】受け部においてロック解除された位置にあるクリップを示す図である。
【図７】受け部においてロック解除された位置にあるクリップを示す図である。
【図８】ホルダにおいてロックされた位置にあるクリップを示す図である。
【図９】ホルダにおいてロックされた位置とロック解除された位置との間の中間位置にあるクリップを示す図である。
【図１０】ホルダにおいてロック解除された位置にあるクリップを示す図である。
【図１１】保持システムの第２の実施形態を形成するクリップおよび受け部を示す図である。
【発明を実施するための形態】
【００３０】
図は、以下にさらに説明されるように、受け部およびクリップを含む保持システムを備えたヘルメット１００を示す。クリップは、ゴーグル、ヘッドランプおよび他の付属品のストラップを固定する役割を果たす。ヘルメット１００は、通気開口部１２６を介して見えるように、内側発泡体層１２２を有し得る。ヘルメット１００は、内側発泡体層１２２に接着されるかまたは取付けられた外側硬質シェル１２４を有し得る。ヘルメット１００は、複数のクリップアンカー区域１０４を有し得る。前部アンカー区域１０４および後部アンカー区域１０６は、ヘルメット１００の側部に配置される。アンカー区域は概してヘルメットの窪みに形成される。窪みは硬質シェルを貫通し、発泡体層に延在するかまたは発泡体層を通り抜けてもよい。ヘルメット１００は、ヘルメット１００の両側に１つまたは複数のアンカー区域を含んでもよく、対応するアンカー区域がヘルメット１００の対辺上にあってもよい。
【００３１】
各々のアンカー区域は受け部１１０を含む。受け部１１０は、アンカー部分１１８およびホルダ部分１１２を有する。アンカー部分またはアンカー１１８は、基本的には、ヘルメットに埋込んでヘルメット上にしっかりと固定させることができるいずれかのタイプの構造である。概して、ヘルメット１００は発泡体の内部およびポリカーボネート製の硬質の外部を含む。アンカー１１８は、隆起および／または溝を含み得る円形状の構造であってもよい。隆起および／または溝は、発泡体層および／もしくはポリカーボネート硬質シェルと噛合うか、または、発泡体層および／もしくはポリカーボネート硬質シェルに定置固定されて不動に埋込まれるかもしくは接着される。たとえば、アンカー１１８は、発泡体または硬質シェルに埋込まれて引抜かれることを阻止するかえし部を含み得る。ねじまたはリベットを用いてアンカー１１８をヘルメットに固定してもよい。アンカー１１８は、取外し可能なクリップ１０２の挿入を可能にするように中心に間隙を有していてもよい。ホルダ部分またはホルダ１１２は、ホルダが概してアンカー１１０の外側にくるようにアンカー１１８に取付けられる構造である。すなわち、受け部１１０がヘルメットに取付けられると、ホルダ１１２は外部に面する側に位置することとなるだろう。ホルダ１１２は、外側にある第１の側部と、その内側にある第２の側部とを有する。ホルダ１１２は、第１の側部または第２の側部から見たときに、壁が偏心アパーチャを表わすように、狭い壁から作成することができる（すなわち、高さが厚さを上回っている）。偏心アパーチャは、ホルダ１１２の第１の側部から第２の側部にまで延在する。偏心アパーチャは、ヘルメットの厚さ全体を通り抜ける必要はなく、偏心アパーチャまたはホルダは、ヘルメットの内面に達する前に終端となっていてもよい。偏心アパーチャは楕円形であってもよい。矩形形状も用いることができる。概して、偏心アパーチャおよびフランジのために、全くの円形ではない形状を用いることもできる。偏心アパーチャは楕円形であってもよい。周知のとおり、楕円は主軸および短軸を有し、主軸および短軸は互いに直交している。主軸は短軸よりも長い。主軸は、楕円を主軸の両側に等しく半分に２分割しており、短軸は、楕円を短軸の両側に等しく半分に２分割している。
【００３２】
図のクリップ１０２は、受け部１１０と噛合うように設計されている。クリップ１０２は柱１１６を含む。柱１１６の軸中心１３２は、クリップ１０２が受け部１１０内においてそれを中心として回転する線である。柱１１６は、柱の両側に軸方向端部を有するものとして示されてもよい。柱１１６は、外側端部として見えることとなるであろう一方の軸方向端部上でクランプアーム１２０に取付けられる。クランプアーム１２０は、柱１１６から径方向外側に延在する。クリップ１０２が受け部１１０と係合されると、クランプアーム１２０の遠位端がシェルの外側部に押当てられ得るように、クランプアーム１２０がヘルメットの外面上に位置することとなるだろう。クランプアーム１２０は細長い平坦な構造である。クランプアーム１２０は、ヘルメット１００の外側シェルに向かって突出るように湾曲していてもよい。クランプアーム１２０は、クランプアーム１２０とシェルとの間での摺動によって、ゴーグルから延びるストラップを配置し易くするために、上方にカーブした部分で終端となっていてもよい。柱１１６は、クランプアーム１２０とは反対側の軸方向端部でフランジ１１４に取付けられる。フランジ１１４の外周は、柱１１６の端部上に口縁部を形成するように、柱１１６の外周を越えて外側に延在している。
【００３３】
フランジ１１４は、フランジ１１４の平坦な側部が柱１１６の中心軸１３２に対して垂直になるように柱１１６に取付けられた平坦な部材であってもよい。フランジ１１４は、フランジ１１４が偏心アパーチャ内を一方向に通過することを可能にするように、偏心アパーチャと同様に形作られた外周を有してもよい。しかしながら、フランジ１１４のサイズは、偏心アパーチャのサイズよりもわずかに小さく、このため、フランジ１１４をホルダ１１２の偏心アパーチャに軸方向に挿入したり偏心アパーチャから軸方向に取外したりすることが可能となる。たとえば、フランジ１１４は、ホルダ１１２における偏心アパーチャの対応する主軸１３４および短軸１３６よりもほんのわずかだけ短い主軸１３８および短軸１４０を有する楕円であってもよい。フランジ１１４がホルダ１１２の内側を通過すると、クリップ１０２は、中心軸１３２を中心として、たとえば約９０度回転し得る。これにより、フランジ１１４の主軸１３８を偏心アパーチャの短軸１３６と位置合わせして、フランジ１１４のうちホルダ１１２の第２の側部に当接する重なり部分により、フランジ１１４をホルダ１１２の偏心アパーチャの軸方向外側へは移動できないようにし得る。クリップ１０２は、ゴーグルおよびヘッドランプなどのためのストラップを固定するために柱の軸中心１３２に対して平行な方向に十分な固定強度をもたらすだろう。しかしながら、クリップ１０２は、たとえいくらかの抵抗があったとしても、回転可能となるだろう。
【００３４】
いくつかの実施形態においては、クリップ１０２が固定されているアンカー区域１０４は、ヘルメット１００における通気開口部内に位置していてもよい。通気開口部は硬質シェルおよび内側発泡体層を通り抜けており、これにより、ヘルメットの外部から内部への通気を可能にする。受け部１１０が通気開口部における窪み内に位置する場合、受け部１１０およびクリップ１０２は、通気特性を著しく妨げることなくヘルメット内への通気を可能にする開口部を有するように構成される。たとえば、クリップ１０２の柱１１６は円筒であってもよく、中心は、柱１１６を介するヘルメット１００内部への通気を可能にするようにくり抜かれている。
【００３５】
図３に図示のとおり、フランジ１１４の形状は、柱１１６の中心軸１３２に対して垂直に見た場合、偏心形状を有している。偏心形状のフランジ１１４のサイズは、ホルダ１１２の偏心アパーチャのサイズよりもほんのわずかだけ小さい。図３においては、フランジ１１４の主軸１３８は、ホルダ１１２の偏心アパーチャの主軸１３４に対して直交しており、このため、クリップ１０２は受け部１１０においてロックされた位置にある。図４は、図３に示されるロックされた位置の断面図を示す。フランジ１１４はホルダ１１２の第２の内側部に当接し、柱１１６は、ホルダ１１２における偏心アパーチャを通って第１の外側部から第２の内側部に達する。保持システム、すなわちホルダ１１２、柱１１６およびフランジ１１４は、クリップ以外に他の用途で用いられてもよい。たとえば、ストラップは、柱１１６に直接接続することができる。完全には円形でないフランジおよび偏心アパーチャの他の形状が、回転させたときにいくらか部分的に重なり合う区域、たとえば、長方形、楕円形およびさらには正方形、を有するであろうことが認識されるはずである。
【００３６】
図６を参照すると、クリップ１０２は、図３と比べて、柱１１６の中心軸１３２を中心として９０度回転している。図６に示される位置においては、フランジ１１４は、ホルダ１１２における偏心アパーチャと位置合わせされる。したがって、フランジ１１４の主軸１３８は、ホルダ１１２における偏心アパーチャの主軸１３４と位置合わせされ、フランジ１１４は、偏心アパーチャ内に嵌まり込み、偏心アパーチャを軸方向に通り抜けて第２の側部から第１の側部にまで達して受け部１１０から解放される。フランジ１１４がホルダ１１２における偏心アパーチャと位置合わせされると、フランジ１１４を最初にホルダ１１２に挿入して第１の側部から第２の側部にまで到達させることが可能であることが認識されるはずである。柱１１６の外側寸法は、少なくともフランジ１１４の外側寸法以下であるため、柱を第１の側部から第２の側部に至るまで偏心アパーチャ内に嵌め込むことが可能となる。フランジ上面がホルダ１１２の第２の側部の下面を通るとき、クリップ１０２を９０度回転させて、フランジの主軸１３８が偏心アパーチャの主軸１３４に対して直交するようにしてもよい。言いかえれば、フランジ１１４の主軸１３８を偏心アパーチャの短軸１３６と位置合わせしてもよい。ホルダ１１２、フランジ１１４および柱１１６は保持システム１０８を形成する。分離／係合システムを設けることに加えて、クリップ１０２は、回転運動を阻止するように設計されている。
【００３７】
認識され得るように、フランジ１１４の主軸１３８が偏心アパーチャの主軸１３４に対して直交している場合、フランジは、外方向へのいずれかの軸方向力による分離を阻止するだろう。クリップ１０２の一目的は、基本的には、ヘルメットの側部にストラップを固定し、それらストラップがヘルメットから上方または下方にずれるのを防ぐことであることが理解されるはずである。ストラップによって引起こされる前方への推力は概してヘルメットの後部に加わる。クリップ１０２がアンカー区域１０４にロックされている場合には、クリップ１０２をロックされた位置で維持するために中心軸１３２に沿った回転に対して抵抗を与えることができるさまざまな実施形態がある。
【００３８】
図８は、クリップ１０２が図３および図４のロックされた位置にある場合の、中心軸１３２に対して垂直な柱１１６の断面形状を示す。柱１１６はホルダ１１２の偏心アパーチャ内において係合される。柱１１６は、ロックされた位置およびロック解除された位置の両方でホルダ１１２の偏心アパーチャの側部に自然に寄り掛かりがちな外形を有する。図８においては、柱１１６の断面形状は「正方形」で表されているが、これは、その形状が４つの同様の辺１３０ａ、１３０ｂ、１３０ｃおよび１３０ｄを有しているからである。辺１３０ａ、１３０ｂ、１３０ｃおよび１３０ｄは各々、直線的な辺ではなく、楕円形の偏心アパーチャのセグメントと同じ様に形作られる。柱の断面形状は、２つの辺が接する４つの規定された点または角部を有するように見える。対角にある対向する角部の対は各々、短軸１３６よりも長いが偏心アパーチャの主軸１３４よりも短い軸を表す。認識され得るように、柱１１６の楕円形セグメントは、偏心アパーチャの楕円形に対して入れ子にすることができる。というのも、これらが同様の形状であるからである。４辺を有する構造であることにより、４つの別々の位置において柱１１６を偏心アパーチャに対して入れ子にすることが可能となる。それらの位置のうちの２箇所の位置がロックされた位置であり、他の２箇所の位置がロック解除された位置であることにより、クリップ１０２を受け部１１０に挿入するかまたはクリップ１０２を受け部１１０から取外す際に柱１１６を軸方向に摺動させることが可能となる。クリップがロックされた位置にあるときに所望の方向に位置合わせされるようにストラップを正確な角度にするために、受け部１１０をヘルメット１００において回転可能に位置合わせすることができる。柱１１６の断面形状の辺の数はさまざまであり得る。柱１１６によって表わされる形状は、４つの角部において終端する２つの直交する等しい軸を含む。これらの軸は各々、中心軸１３２から同じ距離にある。隣接する２つのいずれかの角部間の形状は偏心アパーチャの形状を取る。したがって、このような形状は、ロックされた位置およびロック解除された位置の両方において自然に入れ子になる傾向があるだろう。図から分かるように、辺１３０ａおよび１３０ｃは偏心アパーチャの隣りに並置して入れ子になっている。ロックされた位置からロック解除された位置へ移動させるために、またはロック解除された位置からロックされた位置に移動させるために、柱１１６および／またはホルダ１１２は瞬間的に弾性変形する必要があるだろう。瞬間的に変形して元の形状に戻ることのできる材料であれば如何なる材料が用いられてもよい。プラスチックや、仮に変形可能であれば金属も好適であり得る。対角にある角部同士の長さが偏心アパーチャの短軸１３６よりも長く偏心アパーチャの主軸１３４よりも短いので、回転時に抵抗が生じる。図９は、図８と比べて、中心軸１３２を中心としてクリップ１０２を４５度回転させた図を示す。図９においては、角部同士の対角線は偏心アパーチャの短軸１３６と位置合わせされており、これにより、角部および／またはホルダ１１２における偏心アパーチャを変形させる。したがって、ロックされた位置とロック解除された位置との間で移動させるために、柱１１６、ホルダ１１２またはフランジ１１４がいくらか変形する。この変形により、ロックされた位置とロック解除された位置との間に抵抗がもたらされる。図１０は、図８と比べて、中心軸１３２を中心として９０度回転させた図を示しており、クリップ１０２はロック解除された位置へと移動している。図から分かるように、辺１３０ｂおよび１３０ｄは偏心アパーチャ内部の隣りに並置された状態で入れ子になっている。したがって、受け部１１０においてクリップ１０２をロック解除したりロックしたりすると抵抗が生じる。
【００３９】
他の実施形態においては、他の特徴を用いて回転に対する抵抗を与えてもよい。たとえば、一実施形態においては、フランジのうちホルダ１１２の第２の側部に接触する側部は、１つ以上の傾斜を含み得る。傾斜は、短い傾斜および長い傾斜を有してもよく、これにより、一方向に回転させることがより容易になる。傾斜は、フランジの上側およびホルダの第２の側部の両方に設けられてもよい。加えて、または代替的には、半円形の隆起または突起を柱１１６またはホルダ１１２のいずれかに配置することができる。隆起または複数の隆起は、ロックされた位置およびロック解除された位置で溝に入れ子にすることができ、この溝から隆起を移動させるときに抵抗が感じられる。他の代替例においては、ばね、スナップリングまたはスプリングワッシャを用いて回転に対していくらかの抵抗を与えてもよい。たとえば、スナップリングまたはスプリングワッシャは、ばね作用によってフランジをホルダに押当てることによって抵抗を与え、これにより、回転に対する抵抗を引起こしてもよい。
【００４０】
図１１は、保持システムの第２の実施形態を示す図である。図１１のシステムは、ヘルメット１００などのヘッドギアに組込まれてもよい。システムは、受け部２１０に挿入されるクリップ２０２を含む。受け部２１０はアンカー２１８およびホルダ２１２を含む。ホルダ２１２は、アンカー２１８およびディスク２２４のまわりに等距離に間隔を空けて配置された支柱２２６によってアンカー２１８に支持される。ディスク２２４はさらにホルダ２１２を支持する。アンカー２１８は、たとえば、ヘルメットの発泡体層内に埋込まれてもよい。ホルダ２１２はその中心に偏心アパーチャを含む。この場合、ホルダの偏心アパーチャは楕円形に形作られる。他の実施形態と同様に、偏心アパーチャは複数の非円形のアパーチャを含んでもよい。
【００４１】
クリップ２０２は任意には、たとえば、ゴーグルのストラップを保持するためのアーム２２０を含む。しかしながら、他の実施形態はアームの代わりに他の付属品を有していてもよい。クリップ２０２は、フランジ２１４に接続される柱２１６を含む。柱２１６は中空であってもよい。中空の中心部は、ホルダ２１２においてクリップ２０２が回転したときに柱２１６が弾性変形することを可能にし得る。フランジ２１４は、口縁部を形成するために柱２１６の外周から径方向外側へ突出し得る。フランジ２１４はまた、挿入を可能にする２方位が存在するように、ホルダ２１２の偏心アパーチャ内に嵌まり込むよう楕円形に形作られる。フランジ２１４は、その他方の端縁に１つ以上のノッチ２２２を含み得る。ノッチ２２２は、クリップ２０２が回転を阻止するように、端縁の内部で支柱に寄り掛かっていてもよい。柱２１６は、４つの長手方向の外側部を含んでもよく、各々の外側部は楕円形のセグメントに対応する形状を有し得る。先の実施形態と同様に、クリップ２０２は、受け部２１０に挿入されると、弾性的に回転を阻止することができ、回転は、ホルダ２１２、フランジ２１４もしくは柱２１６の弾性変形、またはこれら３つの特徴のうち２つの特徴の組合せもしくはこれら３つの特徴のすべての組合せの弾性変形によって達成される。クリップ２２０は、フランジ２１４によって形成される口縁部によって受け部２１０から軸方向に引出されるのを阻止する。クリップ２０２が受け部２１０に挿入され回転させられると、フランジ２１４によって形成される口縁部はホルダ２１２の端縁の下に位置し、これにより、軸方向への動きを防ぐこととなる。図３においては、フランジ１１４は、ホルダ１１２の底部側に当たっているときに軸方向への動きを防ぐ位置にあるのが示されている。
【００４２】
実施形態は保持システムに関する。保持システムは、第１の側部および反対側の第２の側部を有するホルダを有し、偏心アパーチャがホルダの第１の側部から第２の側部にまで延在している受け部と、中心軸、第１の軸方向側部および反対側の第２の軸方向側部を含む柱と、第２の側部で柱に対して垂直に取付けられるフランジとを備える。柱およびフランジはホルダと係合される。フランジは、偏心アパーチャ内に嵌まる外形を有し、柱は、偏心アパーチャ内をホルダの第１の側部から第２の側部まで通っている。フランジおよび柱は中心軸のまわりを回転可能であり、柱は、柱、フランジまたはホルダを弾性変形させることなく回転を阻止する。
【００４３】
保持システムのいくつかの実施形態においては、偏心アパーチャは主軸および短軸を有する楕円形を有し、フランジは、偏心アパーチャの主軸および短軸よりもわずかに短い主軸および短軸を有する。
【００４４】
保持システムのいくつかの実施形態においては、フランジの主軸は偏心アパーチャの主軸と位置合わせされ、フランジは、偏心アパーチャ内で中心軸に対して平行な方向に自由に移動することができる。
【００４５】
保持システムのいくつかの実施形態においては、フランジの主軸は偏心アパーチャの主軸と位置合わせされておらず、フランジは、ホルダの第２の側部に寄り掛かっており、中心軸に対して平行な方向に移動しないようにされている。
【００４６】
保持システムのいくつかの実施形態においては、柱の断面形状は、楕円形の偏心アパーチャの短軸よりも長く、楕円形の偏心アパーチャの主軸よりも短い軸を有する。
【００４７】
保持システムのいくつかの実施形態においては、ホルダは、偏心アパーチャを形成する壁を有し、壁の高さは壁の厚さを上回っている。
【００４８】
保持システムのいくつかの実施形態においては、偏心アパーチャと係合される柱の断面形状は、２つの等しい直交軸の交差によって示され、２つの等しい直交軸の各々は、楕円形の短軸よりも長く、楕円形の主軸よりも短い。
【００４９】
保持システムのいくつかの実施形態においては、柱の断面形状は、４つの湾曲した楕円形セグメントを含む。２つの対向するセグメントは短軸が偏心アパーチャに接している。
【００５０】
保持システムのいくつかの実施形態においては、受け部はさらに、ホルダに取付けられたアンカー構造を含む。
【００５１】
保持システムのいくつかの実施形態においては、クランプアームは柱の第１の側部に接続され、クランプアームは柱から径方向に延在する。
【００５２】
保持システムのいくつかの実施形態においては、偏心アパーチャは円形以外の形状を有する。
【００５３】
いくつかの実施形態は、保持システムの実施形態のうちのいずれかを有するヘルメットに関する。
【００５４】
いくつかの実施形態はヘルメットに関する。ヘルメットは、内側発泡体層と、内側発泡体層に取付けられた外側硬質シェルとを備え、外側硬質シェルおよび内側発泡体層に窪みが設けられ、ヘルメットはさらに、窪みに配置された受け部を備える。受け部は、窪みに不動に取付けられたアンカーと、アンカーに接続されたホルダとを含む。ホルダは、第１の外側部および第２の内側部を含み、偏心アパーチャは、ホルダの第１の側部から第２の側部にまで延在する。
【００５５】
ヘルメットのいくつかの実施形態においては、クリップが受け部と係合される。クリップは、中心軸を有する柱を含む。柱は、中心軸に対して垂直な第１の軸方向側部および第２の軸方向側部を有する。第１の側部は径方向に延在するクランプアームを含み、第２の側部は、偏心アパーチャ内に軸方向に嵌まる形状を有するフランジを含む。
【００５６】
ヘルメットのいくつかの実施形態においては、偏心アパーチャは主軸および短軸を有し、フランジはホルダの主軸よりもわずかに短い主軸を有し、フランジはホルダの短軸よりもわずかに短い短軸を有する。
【００５７】
ヘルメットのいくつかの実施形態においては、フランジの主軸は偏心アパーチャの主軸と位置合わせされ、フランジは、偏心アパーチャ内において軸方向に自由に移動することができる。
【００５８】
ヘルメットのいくつかの実施形態においては、柱の中心軸を中心とした回転は、柱またはホルダの弾性変形によって阻止される。
【００５９】
ヘルメットのいくつかの実施形態においては、フランジの主軸は偏心アパーチャの短軸と位置合わせされ、フランジは、偏心アパーチャ内において軸方向に移動しないようにロックされる。
【００６０】
ヘルメットのいくつかの実施形態においては、柱の中心軸を中心とした回転は、柱またはホルダの弾性変形によって阻止される。
【００６１】
ヘルメットのいくつかの実施形態においては、柱の断面形状は、偏心アパーチャの短軸よりも長く、偏心アパーチャの主軸よりも短い軸を有する。
【００６２】
ヘルメットのいくつかの実施形態においては、偏心アパーチャと係合させた柱の断面形状は、２つの等しい直交軸の交差によって示され、２つの等しい直交軸の各々は、偏心アパーチャの短軸よりも長く、偏心アパーチャの主軸よりも短い。
【００６３】
ヘルメットのいくつかの実施形態においては、柱の断面形状は、４つの湾曲した楕円形セグメントを含む。２つの対向する楕円形セグメントは短軸が偏心アパーチャに接している。
【００６４】
具体的な実施形態を例示および記載してきたが、本発明の精神および範囲から逸脱することなくさまざまな変更を加えることができることが認識されるだろう。
【符号の説明】
【００６５】
１００  ヘルメット、１０２  クリップ、１０４  前部アンカー区域、１０６  後部アンカー区域、１１０  受け部、１１２  ホルダ部分、１１４  フランジ、１１６  柱。
【図１】
2015101818.tif 000003
【図２】
2015101818.tif 000004
【図３】
2015101818.tif 000005
【図４】
2015101818.tif 000006
【図５】
2015101818.tif 000007
【図６】
2015101818.tif 000008
【図７】
2015101818.tif 000009
【図８】
2015101818.tif 000010
【図９】
2015101818.tif 000011
【図１０】
2015101818.tif 000012
【図１１】
2015101818.tif 000013
【外国語明細書】
2015101818000001.pdf